(57)【要約】【課題】操作入力に伴う動作情報を記録でき、この記録した動作情報に基づいて動作の解析が可能なテンキーシステムを提供する。【解決手段】テンキーシステム１は、操作装置１０、電気錠２０、管理装置３０を具備する。操作装置１０は、少なくともテンキーを備え、キー操作に基づいて電気錠２０の錠前を施解錠制御するもので、キー操作に伴う動作情報を記録保存する記憶手段１０ｂと、記憶手段１０ｂに記録保存された動作情報の通信出力が可能な通信手段１０ｄとを有する。管理装置３０は、操作装置１０との間で相互に通信可能に接続され、記憶手段１０ｂに記録保存された動作情報の取得が可能な専用ソフトが組み込まれたパソコン等で構成される。【選択図】図１
2008134692.tif 000002
【特許請求の範囲】
【請求項１】
少なくともテンキーを備え、キー操作に基づいて錠前を施解錠制御するテンキーシステムにおいて、
前記キー操作に伴う動作情報を記録保存する記憶手段と、該記憶手段に記録保存された前記動作情報の通信出力が可能な通信手段とを有する操作装置を備えたことを特徴とするテンキーシステム。
【請求項２】
前記記憶手段は、前記動作情報が容量一杯まで記録保存されたときに、過去の動作情報から順に上書き保存することを特徴とする請求項１記載のテンキーシステム。
【請求項３】
前記操作装置との間で相互に通信可能に接続され、前記記憶手段に記録保存された前記動作情報の取得が可能な管理装置を備えたことを特徴とする請求項１又は２記載のテンキーシステム。
【発明の詳細な説明】
【技術分野】
【０００１】
本発明は、テンキー等の操作入力に基づいて錠前を施解錠制御するテンキーシステムに係り、特に操作入力に基づく動作情報（例えば各キー毎の入力回数、照合結果、断線や通信エラー等の異常履歴等）を記録でき、この動作情報を必要に応じて外部出力することができるテンキーシステムに関するものである。
【背景技術】
【０００２】
従来の電気錠装置として、例えば玄関等に設けた操作器を用いて暗証番号を入力し、この暗証番号の照合結果に基づいて錠前を施解錠するものが知られている。図４に示すように、この種の電気錠装置１０１は、扉に設けた電気錠１０２と、電気錠１０２を室内から解錠するための電気錠釦１０３と、電気錠１０２を外部から解錠するための暗証番号を入力するテンキー１０４と、制御機１０５と、鍵の使用により扉の電気錠１０２を解錠するためのキー操作部１０６とを備えている。
【０００３】
制御機１０５は、テンキー１０４から入力された暗証番号が予め登録した認証用の暗証番号と一致するか否かを判定する暗証番号判定部１０７と、暗証番号が一致している場合に送出される解錠信号により電気錠１０２を駆動する電気錠駆動部１０８とを備えている。なお、テンキー１０４が制御機１０５の暗証番号判定部１０７に接続され、電気錠１０２が電気錠駆動部１０８に接続され、暗証番号判定部１０７が電気錠駆動部１０８に接続される。また、電気錠釦１０３が電気錠駆動部１０８に接続される。
【０００４】
そして、上記構成による電気錠装置１０１において、住居人が外出時に電気錠１０２を解錠する場合には、室内に設けられた電気錠釦１０３を押すと、この電気錠釦１０３からの解錠信号が制御機１０５の電気錠駆動部１０８に送出され、電気錠１０２が解錠される。また、住居人が帰宅時に電気錠１０２を解錠する場合には、テンキー１０４から入力された暗証番号が制御機１０５に入力され、この暗証番号が暗証番号判定部１０７において予め登録した認証用の暗証番号と比較され、両者が一致すると判定したときに、制御機１０５から解錠信号が制御機１０５の電気錠駆動部１０８に送出され、電気錠１０２が解錠される。なお、このようなテンキーを用いて電気錠の施解錠操作を行う電気錠システムとしては、例えば特許文献１に開示されるものが公知である。
【特許文献１】特開平５−２５９６３号公報
【発明の開示】
【発明が解決しようとする課題】
【０００５】
しかしながら、従来の電気錠システムは、テンキーの操作入力から錠前を施解錠するまでの動作（例えばテンキーの入力押下回数、照合結果、異常履歴等）を記録する機能を実装していなかった。このため、この種の電気錠システムを採用して出入口の管理をする上でテンキーの故障が発生した場合、テンキーの寿命によって故障したのか、テンキーが悪意をもった不審者やいたずらが故意に操作して故障したのかを判断するのが困難であり、機器の保守や管理が適切に行えなかった。また、テンキーの故障以外に、断線や電源断、さらには通信エラーなどのトラブルが発生していたか否かを後で確認することもできなかった。
【０００６】
そこで、本発明は上記問題点に鑑みてなされたものであり、操作入力に伴う動作情報を記録でき、この記録した動作情報に基づいて動作の解析が可能なテンキーシステムを提供することを目的とするものである。
【課題を解決するための手段】
【０００７】
上記した目的を達成するために、請求項１に記載されたテンキーシステムは、少なくともテンキーを備え、キー操作に基づいて錠前を施解錠制御するテンキーシステムにおいて、
前記キー操作に伴う動作情報を記録保存する記憶手段と、該記憶手段に記録保存された前記動作情報の通信出力が可能な通信手段とを有する操作装置を備えたことを特徴とする。
【０００８】
請求項２に記載されたテンキーシステムは、請求項１記載のテンキーシステムにおいて、
前記記憶手段は、前記動作情報が容量一杯まで記録保存されたときに、過去の動作情報から順に上書き保存することを特徴とする。
【０００９】
請求項３記載のテンキーシステムは、請求項１又は２記載のテンキーシステムにおいて、
前記操作装置との間で相互に通信可能に接続され、前記記憶手段に記録保存された前記動作情報の取得が可能な管理装置を備えたことを特徴とする。
【発明の効果】
【００１０】
本発明のテンキーシステムによれば、操作入力に伴う動作情報（例えば各キー毎の入力回数、照合結果、断線や通信エラー等の異常履歴等）を記録保存しているので、この記録保存した動作情報に基づいて動作の解析を行うことができる。これにより、装置に異常が発生した場合でも、異常の原因を明確に判断することができ、原因に応じた適切な対応を素早く行うことができる。
【００１１】
また、いたずらや不正操作によって装置に異常が発生した場合でも、記録保存された動作情報から異常の原因を究明し、セキュリティ性を向上させることで不正行為の防止に役立てることができる。
【発明を実施するための最良の形態】
【００１２】
以下、本発明の最良の形態について、添付した図面を参照しながら詳細に説明する。図１は本発明に係るテンキーシステムのブロック構成図、図２は同テンキーシステムにおいて操作入力に伴う動作情報を記録する手順の一例を示す動作フローチャート、図３は同テンキーシステムにおいて動作情報を読み出すための手順の一例を示す動作フローチャートである。
【００１３】
まず、本例のテンキーシステムの構成について図１を参照しながら説明する。本例のテンキーシステム１は、例えばマンションやオフィスビルのエントランスなどに設置され、図１に示すように、操作装置１０、電気錠２０、管理装置３０を備えて概略構成される。以下、各構成要件についてそれぞれ詳細に説明する。
【００１４】
操作装置１０は、操作器と制御器とをユニット化したもので、図１に示すように、操作入力手段１０ａ、記憶手段１０ｂ、制御手段１０ｃ、通信手段１０ｄを備えている。
【００１５】
操作入力手段１０ａは、電気錠２０の錠前を施解錠する際に操作されるもので、例えば電気錠２０が配設される各扉の近傍の壁などに設置される。操作入力手段１０ａは、少なくとも暗証番号を入力するためのテンキーを有し、これらテンキーや施錠／解錠操作ボタンなど各種操作キーを備えた操作入力器で構成され、各種操作キーの操作入力に基づく操作情報を制御手段１０ｃに出力している。
【００１６】
記憶手段１０ｂは、例えば磁気的、光学的記憶媒体若しくはＲＯＭ、ＲＡＭなどの半導体メモリで構成される。記憶手段１０ｂは、操作入力手段１０ａから操作入力があったときに、操作入力手段１０ａを構成する各キー毎の入力回数（キーを押した回数）、動作履歴（暗証番号入力と照合結果）、異常履歴（断線や通信エラー等）等を動作情報として制御手段１０ｃの制御の元に記録保存している。また、記憶手段１０ｂは、上記動作情報の記録保存の他、施解錠時に操作入力手段１０ａから入力される暗証番号の認証を行うための認証用施解錠情報、電気錠２０の制御に関する各種データや設定情報等も記憶している。
【００１７】
なお、記憶手段１０ｂは、前記動作情報を記憶する記憶領域が予め決められており、この決められた記憶領域に動作情報を順次記録保存している。そして、この記憶領域の容量一杯まで動作情報が記録保存されている場合は、古い動作情報から上書きされて記憶保存されるようになっている。
【００１８】
制御手段１０ｃは、例えばＣＰＵやＲＯＭ、ＲＡＭなどのマイクロコンピュータで構成される。制御手段１０ｃは、操作入力手段１０ａからの例えばテンキー操作による暗証番号と、記憶手段１０ｂに予め記憶された認証用施解錠情報とを照合してその正当性を判別し、正常に認証したときのみ、そのときの電気錠２０の状態（錠前の施解錠状態や扉の開閉状態）に応じて錠前を施解錠するための駆動制御信号を電気錠２０に出力している。また、制御手段１０ｃは、操作入力手段１０ａからの情報に基づく各キー毎の入力回数の判別処理、例えば断線や通信エラー等の有無の判別処理、電気錠２０や管理装置３０との間における各種情報の通信制御、電気錠２０から入力されるモニタ情報（錠前の施解錠状態や扉の開閉状態を示す状態信号）の判別処理等を行っている。
【００１９】
通信手段１０ｄは、管理装置３０との間でデータ通信を行うための入出力インターフェースであり、例えばEthernet（登録商標）やインターネットなどを介して管理装置３０との間で相互にデータ通信を行う通信機能を有している。
【００２０】
次に、電気錠２０は、例えばモータやソレノイド等の駆動装置と錠前で構成され、操作装置１０の制御手段１０ｃからの駆動制御信号により通電駆動されて錠前を施錠または解錠するべく駆動し、扉枠の係止穴に対してデッドボルトを突出（施錠時）または引き込む（解錠時）ことにより錠前を施解錠している。また、電気錠２０は、錠前の施解錠状態や扉の開閉状態を示す状態信号をモニタ情報として操作装置１０の制御手段１０ｃに常時出力している。
【００２１】
次に、管理装置３０は、例えばパソコンなどの外部通信端末で構成され、操作装置１０との間で相互にデータ通信可能に接続される。管理装置３０には、操作装置１０から動作情報を読み出し、この動作情報に基づいて動作の解析を行うための専用ソフトが組み込まれている。そして、管理装置３０は、操作装置１０とデータ通信可能に接続した状態で専用ソフトを起動させ、操作装置１０から動作情報を読み出し、読み出した動作情報を専用ソフト上で表示させて動作の解析を行ったり、通信エラーの表示等を行っている。
【００２２】
次に、上述したテンキーシステム１において、操作入力手段１０ａからの操作入力に伴う動作情報の記録保存を行う場合の動作について図２の動作フローチャートを参照しながら説明する。
【００２３】
操作入力手段１０ａから操作入力（例えばテンキー入力）が有るか否かを判別し（ＳＴ１）、操作入力手段１０ａから操作入力が有りと判別すると、各キー毎の操作入力回数を記憶手段１０ｂに記録保存する（ＳＴ２）。続いて、暗証番号入力や照合結果などの動作が有るか否かを判別し（ＳＴ３）、動作（例えば番号入力や照合結果）が有りと判別すると、その動作内容を記憶手段１０ｂに記録保存する（ＳＴ４）。続いて、断線や通信エラー等の異常が有るか否かを判別し（ＳＴ５）、異常有りと判別すると、その異常内容を記憶手段１０ｂに記録保存する。
【００２４】
なお、上記動作において、操作入力手段１０ａから何も操作が無い場合は、記憶手段１０ｂに対する情報の記録は行われない。また、記憶手段１０ｂに対する情報の記録保存は、操作入力手段１０ａからの操作入力に伴う動作発生（異常を含む）時毎に順次行われる。さらに、記憶手段１０ｂに記録保存された情報が容量一杯になった場合には、古い動作情報から上書きされて記録保存される。
【００２５】
次に、上述した動作情報の読み出しを行う場合の動作について図３の動作フローチャートを参照しながら説明する。
【００２６】
操作装置１０に管理装置３０を接続して専用ソフトを起動させる（ＳＴ１１）。この状態で、管理装置３０は、専用ソフトの操作が有るか否かを判別し（ＳＴ１２）、専用ソフトの操作有りと判別すると、操作装置１０との間で通信を行い（ＳＴ１３）、操作装置１０の記憶手段１０ｂに記録保存された動作情報をデータ通信によって取得する。続いて、管理装置３０は、通信終了か否かを判別し（ＳＴ１４）、通信終了と判別すると、操作装置１０からデータ通信によって取得した動作情報に基づくファイルを生成し（ＳＴ１５）、通信完了表示を行う（ＳＴ１６）。そして、管理装置３０の操作者は、生成されたファイルに基づいて動作の解析を行う。
【００２７】
管理装置３０は、ＳＴ１４において、通信終了でないと判別すると、操作装置１０から取得した動作情報に基づいて通信エラーの発生が有るか否かを判別し（ＳＴ１７）、通信エラーの発生有りと判別すると、エラー表示を行う（ＳＴ１８）。管理装置３０の操作者は、エラー表示によって操作装置１０に異常があったことを確認することができ、通信終了後に生成されるファイルから異常の原因を究明することができる。
【００２８】
このように、本例のテンキーシステム１によれば、操作入力に伴う一連の動作情報を操作装置１０の記憶手段１０ｂに記録保存することができる。そして、操作装置１０と管理装置３０とを相互にデータ通信可能に接続し、管理装置３０の専用ソフトを起動させて操作することで操作装置１０に記録保存された動作情報を管理装置３０側に読み出すことができ、専用ソフト上で動作情報に基づく動作の解析や通信エラーの発生の有無を表示させることができる。また、動作情報が記憶手段１０ｂの記憶領域の容量一杯まで記録保存されている場合には、古い動作情報から順次上書き保存されるので、常に最新の操作入力に伴う動作情報を記憶手段１０ｂに記録保存することができる。
【００２９】
そして、このような本例のテンキーシステムによれば、日常の運用の中で、防犯上の攻撃を受けていないか否か、装置上のトラブルが発生していないか否かを確認できる。また、装置の消耗部品（例えばシートスイッチ）を交換するときの要因も確認できる。
【図面の簡単な説明】
【００３０】
【図１】本発明に係るテンキーシステムの概略構成を示すブロック構成図である。
【図２】本発明に係るテンキーシステムにおいて操作入力に伴う動作情報を記録する手順の一例を示す動作フローチャートである。
【図３】本発明に係るテンキーシステム動作情報を読み出すための手順の一例を示す動作フローチャートである。
【図４】従来のテンキーを用いた電気錠システムの一例を示すブロック構成図である。
【符号の説明】
【００３１】
１  テンキーシステム
１０  操作装置
１０ａ  操作入力手段
１０ｂ  記憶手段
１０ｃ  制御手段
１０ｄ  通信手段
２０  電気錠
３０  管理装置
【図１】
2008134692.tif 000003
【図２】
2008134692.tif 000004
【図３】
2008134692.tif 000005
【図４】
2008134692.tif 000006